(57)【要約】【課題】ユーザによって指定された範囲の画像サイズを変更することのできる表示制御装置を提供する。【解決手段】表示制御装置としての端末装置は、タッチパネルに画像が表示されている状態において、タッチパネルへの複数の位置のタッチを検知すると（Ｓ１０１）、タッチパネルに表示されている画像を元画像として、元画像のうちのタッチパネルへの複数のタッチの位置によって定義される範囲を対象範囲として特定する（Ｓ１０３）。複数の位置のうちの少なくとも１つの位置へのタッチが継続したまま、上記少なくとも１つのタッチの位置が移動したことを検知すると（Ｓ１０５）、上記少なくとも１つのタッチの位置の軌跡に応じて変形率を決定し（Ｓ１０７）、対象範囲をその変形率で変形する（Ｓ１０９）。【選択図】図１０
2014106677.tif 000002
【特許請求の範囲】
【請求項１】
タッチパネルを有する表示装置の表示を制御するための装置であって、
前記タッチパネルへのタッチを検知するための検知手段と、
前記検知手段によって、前記タッチパネルへの複数の位置のタッチと、前記複数の位置のうちの少なくとも１つの位置へのタッチが継続した状態において前記少なくとも１つのタッチの位置が移動したこととが検知されると、前記タッチパネルに表示されている画像を元画像として、前記少なくとも１つのタッチの位置の軌跡に応じて前記元画像のうちの対象とする範囲を変形するための変形手段とを備え、
前記変形手段は、
前記元画像のうちの、前記タッチパネルへの前記複数のタッチの位置によって定義される範囲を前記対象とする範囲として特定するための特定手段と、
前記軌跡に応じて変形率を決定するための決定手段とを含む、表示制御装置。
【請求項２】
前記変形手段で変形された画像を、前記タッチパネルに前記元画像と重ねて表示するための表示手段をさらに備える、請求項１に記載の表示制御装置。
【請求項３】
前記少なくとも１つの位置へのタッチが終了した後に、前記タッチパネルに表示された前記変形手段で変形された画像に含まれる位置に対するタッチが検知されると、前記表示手段は、前記変形された画像に含まれる位置に対するタッチの記載に応じて、前記変形された画像の表示位置を変更する、請求項２に記載の表示制御装置。
【請求項４】
タッチパネルを有する表示装置での画像の表示方法であって、
前記タッチパネルに前記画像が表示されている状態において、前記タッチパネルへの複数の位置のタッチを検知するステップと、
前記複数の位置のうちの少なくとも１つの位置へのタッチが継続したまま、前記少なくとも１つのタッチの位置が移動したことを検知するステップと、
前記タッチパネルに表示されている画像を元画像として、前記元画像のうちの前記タッチパネルへの前記複数のタッチの位置によって定義される範囲を、前記少なくとも１つのタッチの位置の軌跡に応じて変形するステップとを備え、
前記変形するステップは、前記軌跡に応じて変形率を決定するステップを含む、表示方法。
【請求項５】
タッチパネルを有する表示装置での画像の表示をコンピュータに実行させるためのプログラムであって、
前記タッチパネルに前記画像が表示されている状態において、前記タッチパネルへの複数の位置のタッチを検知するステップと、
前記複数の位置のうちの少なくとも１つの位置へのタッチが継続したまま、前記少なくとも１つのタッチの位置が移動したことを検知するステップと、
前記タッチパネルに表示されている画像を元画像として、前記元画像のうちの前記タッチパネルへの前記複数のタッチの位置によって定義される範囲を、前記少なくとも１つのタッチの位置の軌跡に応じて変形するステップとを前記コンピュータに実行させ、
前記変形するステップは、前記軌跡に応じて変形率を決定するステップを含む、表示プログラム。
【発明の詳細な説明】
【技術分野】
【０００１】
この発明は表示制御装置、表示方法、および表示プログラムに関し、特に、タッチパネルを有する表示装置での画像表示を制御する表示制御装置、表示方法、および表示プログラムに関する。
【背景技術】
【０００２】
タッチパネルを有する表示装置において、表示画面のサイズをタッチパネルに対するタッチ操作で変更する制御が知られている。たとえば、特開２００８−２８７３２３号公報（以下、特許文献１）は、表示画面への指の近接／接触を検知し、指の近接／接触位置の座標値と近接か接触かの判別情報とを用いて拡大表示領域を決定し、拡大表示領域と当該表示領域に関連する付加情報とを拡大して表示する技術を開示している。
【０００３】
また、特開２００２−３１１８２０号公報（以下、特許文献２）は、表示制御の一例として、表示画面へ接触する２本の指が近づくと縮小画像を表示画面へ表示し、２本の指が遠ざかると拡大画像を表示する制御を開示している。
【０００４】
また、特開２０１０−２３７９２８号公報（以下、特許文献３）は、タッチパネルの表示領域に対する物理的な接触の位置を検知し、さらに接触の継続時間を計測し、その継続時間が所定のしきい値以上である場合に、検知された接触位置を含む所定の範囲を拡大対象領域として決定して、その範囲内の画像を拡大し、元画像に重ねて表示する技術を開示している。
【先行技術文献】
【特許文献】
【０００５】
【特許文献１】特開２００８−２８７３２３号公報
【特許文献２】特開２００２−３１１８２０号公報
【特許文献３】特開２０１０−２３７９２８号公報
【発明の概要】
【発明が解決しようとする課題】
【０００６】
しかしながら、上記特許文献１，３では、いずれも、サイズを変更する領域が接触位置に基づいて自動的に決定されるものであるため、ユーザが自由な範囲を指定することができない、という問題があった。
【０００７】
また、上記特許文献２は、画面全体のサイズを変更するものであるため、ユーザが自由な範囲を指定することができない、という問題があった。
【０００８】
本発明はこのような問題に鑑みてなされたものであって、ユーザによって指定された範囲の画像サイズを変更することのできる表示制御装置、表示方法、および表示プログラムを提供することを目的としている。
【課題を解決するための手段】
【０００９】
上記目的を達成するために、本発明のある局面に従うと、表示制御装置はタッチパネルを有する表示装置の表示を制御するための装置であって、タッチパネルへのタッチを検知するための検知手段と、検知手段によって、タッチパネルへの複数の位置のタッチと、複数の位置のうちの少なくとも１つの位置へのタッチが継続した状態において上記少なくとも１つのタッチの位置が移動したこととが検知されると、タッチパネルに表示されている画像を元画像として、上記少なくとも１つのタッチの位置の軌跡に応じて元画像のうちの対象とする範囲を変形するための変形手段とを備える。変形手段は、元画像のうちの、タッチパネルへの複数のタッチの位置によって定義される範囲を対象とする範囲として特定するための特定手段と、軌跡に応じて変形率を決定するための決定手段とを含む。
【００１０】
好ましくは、表示制御装置は、変形手段で変形された画像を、タッチパネルに元画像と重ねて表示するための表示手段をさらに備える。
【００１１】
さらに好ましくは、少なくとも１つの位置へのタッチが終了した後に、タッチパネルに表示された変形手段で変形された画像に含まれる位置に対するタッチが検知されると、表示手段は、変形された画像に含まれる位置に対するタッチの記載に応じて、変形された画像の表示位置を変更する。
【００１２】
本発明の他の局面に従うと、表示方法タッチパネルを有する表示装置での画像の表示方法であって、タッチパネルに画像が表示されている状態において、タッチパネルへの複数の位置のタッチを検知するステップと、複数の位置のうちの少なくとも１つの位置へのタッチが継続したまま、上記少なくとも１つのタッチの位置が移動したことを検知するステップと、タッチパネルに表示されている画像を元画像として、元画像のうちのタッチパネルへの複数のタッチの位置によって定義される範囲を、上記少なくとも１つのタッチの位置の軌跡に応じて変形するステップとを備える。変形するステップは、軌跡に応じて変形率を決定するステップを含む。
【００１３】
本発明のさらに他の局面に従うと、表示プログラムはタッチパネルを有する表示装置での画像の表示をコンピュータに実行させるためのプログラムであって、タッチパネルに画像が表示されている状態において、タッチパネルへの複数の位置のタッチを検知するステップと、複数の位置のうちの少なくとも１つの位置へのタッチが継続したまま、上記少なくとも１つのタッチの位置が移動したことを検知するステップと、タッチパネルに表示されている画像を元画像として、元画像のうちのタッチパネルへの複数のタッチの位置によって定義される範囲を、上記少なくとも１つのタッチの位置の軌跡に応じて変形するステップとをコンピュータに実行させ、変形するステップは、軌跡に応じて変形率を決定するステップを含む。
【発明の効果】
【００１４】
この発明によると、ユーザは、表示されている画像のうちの任意の範囲を指定して、任意のサイズに変形させることができる。
【図面の簡単な説明】
【００１５】
【図１】実施の形態にかかる表示制御装置の一例としての端末装置の構成の具体例を示す図である。
【図２】端末装置のハードウェア構成の具体例を示すブロック図である。
【図３】表示制御装置としての端末装置での動作概要を表わした図である。
【図４】表示制御装置としての端末装置での動作概要を表わした図である。
【図５】端末装置での動作概要の他の例を表わした図である。
【図６】端末装置での動作概要の他の例を表わした図である。
【図７】端末装置での動作概要の他の例を表わした図である。
【図８】端末装置での動作概要の他の例を表わした図である。
【図９】端末装置の機能構成の具体例を示すブロック図である。
【図１０】表示制御装置である端末装置での表示制御の流れを表わしたフローチャートである。
【発明を実施するための形態】
【００１６】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１７】
＜装置構成＞
図１は、本実施の形態にかかる表示制御装置の一例としての端末装置１００の構成の具体例を示す図である。
【００１８】
以下の説明では、図１に表わされるように、表示制御装置自体に表示装置が含まれるものとしている。しかしながら、表示制御装置は表示装置とは別体の装置であって、表示装置と有線または無線で電気的に接続されてその表示を制御するものであってもよい。
【００１９】
端末装置１００は、タッチパネルを有する表示装置を搭載するものであればどのような装置であってもよい。たとえば、タッチパネルが搭載された小型のノートパソコン（パーソナルコンピュータ）やゲーム機、文書閲覧装置、コンテンツプレーヤ、デジタルカメラなどが挙げられる。また、表示制御装置は携帯端末に限定されるものではなく、タッチパネルを有する表示装置を制御するものであれば携帯不可能な大型の装置であってもよい。
【００２０】
図１を参照して、端末装置１００は、一面側に、表示装置および入力装置としてのタッチパネル１４を備える。その他、端末装置１００が携帯電話機である場合、スピーカ１５や、マイク１６などが配されてもよい。
【００２１】
図２は、端末装置１００のハードウェア構成の具体例を示すブロック図である。
図２を参照して、端末装置１００は、ＣＰＵ（Central  Processing  Unit）１０と、ＣＰＵで実行するプログラムなどを記憶するためのＲＯＭ（Read  Only  Memory）１１と、ＣＰＵでプログラムを実行する際の作業領域ともなるＲＡＭ（Random  Access  Memory）１２と、画像データなどを記憶するためのメモリ１３と、入力装置および表示装置として機能するタッチパネル１４と、スピーカ１５と、マイク１６とを含む。
【００２２】
表示装置としてのタッチパネル１４は、ＣＰＵ１０からの指示に従って指定された画面を表示する。入力装置としてのタッチパネル１４は、タッチされた位置（タッチ位置）を示す信号をＣＰＵ１０に入力する。
【００２３】
ＣＰＵ１０は、表示画面と指等のタッチ位置とからユーザの指示内容を特定し、当該指示に応じた処理を実行する。
【００２４】
＜動作概要＞
図３および図４は、表示制御装置としての端末装置１００での動作概要を表わした図である。これらの図では、端末装置１００のタッチパネル１４に対する操作に応じたタッチパネル１４での表示の遷移が示されている。
【００２５】
詳しくは、図３（Ａ）を参照して、タッチパネル１４に対して同時に複数の位置へのタッチがなされると、端末装置１００は、タッチされたときにタッチパネル１４に表示されている画像のうちのこれら複数のタッチ位置によって定義される範囲を、画像サイズを変更する処理の対象とする範囲（以下、対象範囲とも称する）として特定する。
【００２６】
図３（Ａ）では、複数の位置として点Ｐ１および点Ｑ１の２点が同時にタッチされた状態であることが表わされている。端末装置１００は点Ｐ１および点Ｑ１で定義される対象範囲の一例として、点Ｐ１および点Ｑ１を対角とする矩形の範囲Ｒ１を特定する。
【００２７】
図３（Ｂ）を参照して、上記複数の位置へのタッチのうち、少なくとも１つの位置へのタッチが継続したままそのタッチ位置が移動すると、端末装置１００は、そのタッチ位置の軌跡（ベクトル）に応じて変形率を決定し、対象範囲を変形する。
【００２８】
図３（Ｂ）では、点Ｐ１に対するタッチが継続したまま、点Ｐ１から点Ｐ２に対象範囲Ｒ１よりも外向きに真横にタッチ位置が移動していることが表わされている。このとき、点Ｑ１に対するタッチは継続していてもよいし、解消されていてもよい。この移動に対して、端末装置１００は、一例として、点Ｐ１から点Ｐ２まで移動のうちの横方向の長さ（ｘ方向のベクトル成分）に基づいて拡大率を決定する。そして、端末装置１００は、その拡大率で対象範囲Ｒ１を拡大して、表示画面に重ねてタッチパネル１４上の範囲Ｒ２に拡大画像を表示する。
【００２９】
この例によると、たとえば、タッチ位置である点Ｐ１が、対象範囲Ｒ１よりも内向きに真横に移動して移動後の点に到達した場合には、端末装置１００は、その移動のうちの横方向の長さに基づいて縮小率を決定する。そして、端末装置１００は、その縮小率で対象範囲Ｒ１を縮小して、表示画面に重ねてタッチパネル１４上の範囲Ｒ２に拡大画像を表示する。
【００３０】
変形の態様（拡大、縮小）とタッチ位置の移動方向との関係は図３（Ｂ）に示された例に限定されず、反対であってもよい。また、変形率（拡大率、縮小率）の決定（算出）方法も上述の方法に限定されず、他の方法であってもよい。たとえば、点Ｐ１から点Ｐ２までの距離（直線距離）に基づいて決定されてもよいし、点Ｐ１から点Ｐへの実際の移動距離に基づいて決定されてもよい。
【００３１】
端末装置１００は、上記少なくとも１つの位置へのタッチが継続しているうちは、そのタッチ位置の移動に応じて、リアルタイムに対象範囲Ｒ１の変形を続けてもよい。
【００３２】
すなわち、図４を参照して、図４（Ｂ）は、図４（Ａ）の状態（図３（Ｂ）と同じ）から、さらに、点Ｐ２へのタッチが継続したまま、点Ｐ２から点Ｐ３に表示されている範囲Ｒ２よりも内向きに真横に移動してタッチ位置が移動していることが表わされている。この移動に対して、端末装置１００は、上の例によると、移動のうちの横方向の長さに基づいて縮小率を決定する。そして、端末装置１００は、その縮小率で対象範囲Ｒ１を縮小して、表示画面に重ねてタッチパネル１４上の範囲Ｒ３に縮小画像を表示する。
【００３３】
したがって、タッチパネル１４へのタッチが維持されたままタッチ位置が点Ｐ１→点Ｐ２→点Ｐ３と移動すると、点Ｐ１がタッチされたときに特定された対象範囲Ｒ１がその移動に応じた変形率でリアルタイムに変形されて、表示画面に重ねてタッチパネル１４上の範囲Ｒ２→範囲Ｒ３に表示される。
【００３４】
なお、図３、図４は、タッチ位置が真横に移動する例を示しているが、移動方向は左右方向（ｘ軸方向）に限定されない。図５および図６は、端末装置１００での動作概要の他の例を表わした図である。
【００３５】
たとえば、図５に表わされたように、移動方向は上下方向（ｙ軸方向）であってもよい。すなわち、図５を参照して、図５（Ａ）の状態（図３（Ａ）と同じ）から、タッチ位置である点Ｐ１が、対象範囲Ｒ１よりも外向きに真下に移動して点Ｐ４に到達したときにも（図５（Ｂ）)、端末装置１００は、一例として、点Ｐ１から点Ｐ４までの移動のうちの縦方向の長さ（ｙ方向のベクトル成分）に基づいて拡大率を決定する。そして、端末装置１００は、その拡大率で対象範囲Ｒ１を拡大して、表示画面に重ねてタッチパネル１４上の範囲Ｒ２に拡大画像を表示するようにしてもよい。
【００３６】
またたとえば、図６に表わされたように、移動方向は斜め方向であってもよい。すなわち、図６を参照して、図６（Ａ）の状態（図３（Ａ）と同じ）から、タッチ位置である点Ｐ１が、対象範囲Ｒ１よりも外向きに斜め下に移動して点Ｐ５に到達したときにも（図６（Ｂ）)、端末装置１００は、一例として、点Ｐ１から点Ｐ５までの移動距離に基づいて拡大率を決定する。そして、端末装置１００は、その拡大率で対象範囲Ｒ１を拡大して、表示画面に重ねてタッチパネル１４上の範囲Ｒ２に拡大画像を表示するようにしてもよい。
【００３７】
また、上の例は、点Ｐ１である１点に対するタッチのみの移動によって変形させる例が挙げられているが、端末装置１００は、同時になされた複数の位置へのタッチのうちの２点以上のタッチ位置の移動によって変形率を決定してもよい。図７は、端末装置１００での動作概要の他の例を表わした図である。
【００３８】
たとえば、図７に表わされたように、同時になされた複数の位置へのタッチのうちの２点Ｐ１，Ｑ１共に対象範囲Ｒ１よりも外向きにタッチ位置が移動した場合、端末装置１００は、移動後の点Ｐ６，Ｑ２に基づいて変形例を決定してもよい。一例として、端末装置１００は、点Ｐ６および点Ｑ２を対角とした範囲Ｒ２を変形後のサイズとして、対象範囲Ｒ１を当該サイズへ拡大するための拡大率を決定する。
【００３９】
なお、上の例で端末装置１００は、複数のタッチ位置によって定義される範囲として２点のタッチ位置である点Ｐ１および点Ｑ１を対角とする矩形の範囲Ｒ１を特定しているが、特定方法はこの例に限定されない。図８は、端末装置１００での動作概要の他の例を表わした図である。
【００４０】
すなわち、図８（Ａ）に表わされたように、他の例として、端末装置１００は、複数のタッチ位置によって定義される範囲として２点のタッチ位置である点Ｐ１および点Ｑ１を直径とする円形の範囲Ｒ１’を特定してもよい。また、図８（Ｂ）に表わされたように、３点のタッチ位置である点Ｐ１、点Ｑ１、および点Ｓをそれぞれ頂点とする矩形領域Ｒ１’’を特定してもよいし、これらを頂点とする三角形を特定してもよい。
【００４１】
＜機能構成＞
図９は、上記動作を行なうための端末装置１００の機能構成の具体例を示すブロック図である。図９に表わされた各機能は、ＣＰＵ１０がＲＯＭ１１に記憶されているプログラムをＲＡＭ１２上に読み出して実行することによって、主に、ＣＰＵ１０上に形成されるものであるが、少なくとも一部が、図２に表わされたハードウェア構成によって実現されてもよい。
【００４２】
図９を参照して、メモリ１３には、表示装置としてのタッチパネル１４に表示する画像データを記憶するための記憶領域である画像記憶部１３１が設けられる。
【００４３】
さらに図９を参照して、ＣＰＵ１０は、入力装置としてのタッチパネル１４からの入力信号を受け付けるための入力部１０１と、入力信号に基づいてタッチ状態を検知するための検知部１０２と、タッチパネル１４に表示されている画像の対象範囲を変形するための変形部１０３と、タッチパネル１４に画像データに基づく画像や変形後の画像を表示するための表示部１０６とを含む。さらに、変形部１０３は、タッチパネル１４に対する複数のタッチ位置によって定義される範囲を対象範囲として特定するための特定部１０４と、タッチ位置の軌跡に応じて変形率を決定するための決定部１０５とを含む。
【００４４】
検知部１０２が入力信号より、タッチパネル１４への複数の位置のタッチを検知すると、特定部１０４は、そのタッチ位置に基づいて対象範囲を特定する。
【００４５】
検知部１０２が上記複数の位置のうちの少なくとも１つの位置へのタッチが継続した状態において、上記少なくとも１つのタッチ位置が移動したことを検知すると、決定部１０５は、そのタッチ位置の軌跡に応じて変形率を決定する。
【００４６】
変形部１０３は、特定された対象範囲を決定された変形率で変形し、変形後の画像を表示部１０６に渡す。表示部１０６は、タッチされた際にタッチパネル１４に表示されている画像に重ねて、変形された画像を表示する。
【００４７】
＜動作フロー＞
図１０は、表示制御装置である端末装置１００での表示制御の流れを表わしたフローチャートである。図１０のフローチャートに表わされた動作は、端末装置１００のＣＰＵ１０がＲＯＭ１１に記憶されているプログラムをＲＡＭ１２上に読み出して実行し、図９の各機能を発揮させることによって実現される。
【００４８】
図１０を参照して、ＣＰＵ１０は、タッチパネル１４に画像が表示されている状態において、タッチパネル１４への複数の位置のタッチを検知すると（ステップＳ１０１）、上記複数の位置によって定義される範囲を対象範囲として特定する（ステップＳ１０３）。
【００４９】
その後、上記複数の位置のタッチのうちの少なくとも１つの位置へのタッチが継続した状態で当該少なくとも１つのタッチ位置が移動したことが検知されると（ステップＳ１０５でＹＥＳ）、ＣＰＵ１０は、その軌跡に基づいて変形率を決定し（ステップＳ１０７）、上記ステップＳ１０３で特定した対象範囲をその変形率で変形する（ステップＳ１０９）。そして、ＣＰＵ１０は、変形した画像をタッチパネル１４に表示されている画像に重ねて表示する（ステップＳ１１１）。
【００５０】
なお、上記ステップＳ１０５で、ＣＰＵ１０は、対象範囲を特定した状態のまま、または変形された画像を表示したまま、タッチ位置の移動が検知されるまで待機する（ステップＳ１０５でＮＯ）。または、ＣＰＵ１０は、所定時間、タッチ位置の移動が検知されない場合には以降の動作を行なうことなく、強制的に一連の動作を終了するようにしてもよい。
【００５１】
ＣＰＵ１０は、以上のステップＳ１０５〜Ｓ１１１の処理を上記少なくとも１つ位置へのタッチが解消されるまで（ステップＳ１１３でＮＯ）、繰り返す。すなわち、タッチパネル１４に対するタッチが継続している限り、ＣＰＵ１０は、その移動を監視して、軌跡に応じた変形率で対象範囲を変形して、リアルタイムに、表示画面に重ねて表示する。
【００５２】
なお、ステップＳ１１３では、移動しているタッチ位置へのタッチの解消のみならず、上記ステップＳ１０１で検知されたタッチパネル１４に対するすべての位置のタッチが解消されたことが検知されてもよい。
【００５３】
そして、上記少なくとも１つ位置へのタッチ、または上記ステップＳ１０１で検知されたタッチパネル１４に対するすべての位置のタッチが解消されたことが検知されると（ステップＳ１１３でＹＥＳ）、ＣＰＵ１０は、一連の動作を終了する。
【００５４】
＜実施の形態の効果＞
表示制御装置である端末装置１００で以上の動作が行なわれることで、ユーザは、直感的な動作で、表示されている画像のうちの変形する範囲を任意に指定することができる。また、ユーザは、直感的で容易な操作で、その変形率を指定することができる。
【００５５】
＜変形例１＞
なお、上記ステップＳ１１３でタッチが解消されたことが検知され、一連の動作が終了した後、ＣＰＵ１０は、変形された画像の表示を継続しておいてもよい。そして、さらに、表示された変形画像に対するタッチが検知され、そのタッチが継続した状態でタッチ位置が移動したことが検知されると、ＣＰＵ１０は、変形画像の表示をタッチ位置の軌跡に応じて移動させてもよい。この場合、表示部１０６は検知部１０２で検知された変形画像に対するタッチ位置の軌跡に応じて当該変形画像の表示位置を特定し、現在の変形画像の表示位置を更新する。
【００５６】
そのようにすることで、表示画像に重ねて変形画像を表示させる際に、ユーザは、任意の位置に変形画像を表示させることができる。
【００５７】
＜変形例２＞
さらに、同じ画像がタッチパネル１４に表示されている状態において、複数回、図１０の動作を実行することで、ＣＰＵ１０は、表示画像について、複数の箇所を対象範囲として、それぞれの範囲を変形して、すべて（または２か所以上）を同時に、タッチパネル１４の表示画像に重ねて表示してもよい。
【００５８】
そのようにすることで、ユーザは、同一の表示画像について、任意の複数個所を変形させ、同時にタッチパネル１４上で表示させることができる。
【００５９】
さらに、ＣＰＵ１０は、上記第１の変形例の制御と第２の変形例の制御とを組み合わせて行なってもよい。すなわち、ＣＰＵ１０は、それぞれ複数のタッチによって定義された複数の対象範囲をそれぞれの変形率で変形させ、各変形画像へのタッチによって、その表示位置を移動させてもよい。
【００６０】
そのようにすることで、ユーザは、同一の表示画像について、任意の複数個所を変形させ、同時にタッチパネル１４上の任意の位置に表示させることができる。
【００６１】
さらに、上述の処理を端末装置１００等の表示制御装置に実行させるためのプログラムを提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６２】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００６３】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００６４】
提供されるプログラム製品は、ハードディスクなどのプログラム格納部にインストールされて実行される。なお、プログラム製品は、プログラム自体と、プログラムが記録された記録媒体とを含む。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６６】
１０  ＣＰＵ、１１  ＲＯＭ、１２  ＲＡＭ、１３  メモリ、１４  タッチパネル、１５  スピーカ、１６  マイク、１００  端末装置、１０１  入力部、１０２  検知部、１０３  変形部、１０４  特定部、１０５  決定部、１０６  表示部、１３１  画像記憶部。
【図１】
2014106677.tif 000003
【図２】
2014106677.tif 000004
【図３】
2014106677.tif 000005
【図４】
2014106677.tif 000006
【図５】
2014106677.tif 000007
【図６】
2014106677.tif 000008
【図７】
2014106677.tif 000009
【図８】
2014106677.tif 000010
【図９】
2014106677.tif 000011
【図１０】
2014106677.tif 000012